【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
複数の図柄を付した複数のリールで構成される表示装置と、各リールの変動を開始させるためのスタートレバーと、各リールの変動を停止させるためのリール停止ボタンと、前記表示装置の変動表示領域で図柄を変動表示する変動表示ゲームを行う制御手段と、を備え、変動表示ゲームの結果によって遊技者に所定の遊技価値を付与する遊技機において、
前記変動表示領域の所定領域に位置する図柄を隠蔽状態と開示状態とに切換可能な隠蔽開示手段と、
所定条件の成立によって前記隠蔽開示手段による状態を切換制御可能な切換制御手段と、を備え、
前記変動表示領域は、
常態で各リールの図柄列のうち３個の図柄をそれぞれ開示状態とする通常表示領域と、
変動表示する図柄の出現側に位置し、前記隠蔽開示手段によって図柄の開示状態を切換可能な特別表示領域と、から構成され、
前記切換制御手段は、前記隠蔽開示手段による前記特別表示領域の隠蔽状態を開示状態に切換えて変動表示領域を拡張することを特徴とする遊技機。
【請求項２】
前記隠蔽開示手段は、前記各リールの図柄列に対応して区分けした特別表示領域毎に状態切換を可能とし、
前記切換制御手段は、図柄の停止過程で特別な遊技価値を付与可能なリーチ表示状態となった場合に、未だ変動表示する図柄列の特別表示領域を開示状態に切換えることを特徴とする請求項１に記載の遊技機。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
【発明が解決しようとする課題】
このようなパチスロ機や球スロ機等の遊技機では、目押しという、変動する図柄を凝視し、変動のリズムに合わせてリール停止ボタンを操作して、思い通りの図柄で停止させる技術がある。
【手続補正４】
【補正対象書類名】明細書
【補正対象項目名】０００６
【補正方法】変更
【補正の内容】
【０００６】
しかし、目押しに不慣れな遊技者等もいる。
【手続補正５】
【補正対象書類名】明細書
【補正対象項目名】０００７
【補正方法】変更
【補正の内容】
【０００７】
この発明は、隠蔽状態と開示状態とに切換可能な変動表示領域を設定して、遊技者が目押しを行いやすくすることを目的とする。
【手続補正６】
【補正対象書類名】明細書
【補正対象項目名】０００８
【補正方法】変更
【補正の内容】
【０００８】
【課題を解決するための手段】
第１の発明は、複数の図柄を付した複数のリールで構成される表示装置と、各リールの変動を開始させるためのスタートレバーと、各リールの変動を停止させるためのリール停止ボタンと、前記表示装置の変動表示領域で図柄を変動表示する変動表示ゲームを行う制御手段と、を備え、変動表示ゲームの結果によって遊技者に所定の遊技価値を付与する遊技機において、前記変動表示領域の所定領域に位置する図柄を隠蔽状態と開示状態とに切換可能な隠蔽開示手段と、所定条件の成立によって前記隠蔽開示手段による状態を切換制御可能な切換制御手段と、を備え、前記変動表示領域は、常態で前記リールの図柄列のうち３個の図柄を開示状態とする通常表示領域と、変動表示する図柄の出現側に位置し、前記隠蔽開示手段によって図柄の開示状態を切換可能な特別表示領域と、から構成され、前記切換制御手段は、前記隠蔽開示手段による前記特別表示領域の隠蔽状態を開示状態に切換えて変動表示領域を拡張する。
【手続補正７】
【補正対象書類名】明細書
【補正対象項目名】０００９
【補正方法】変更
【補正の内容】
【０００９】
第２の発明は、第１の発明において、前記隠蔽開示手段は、前記各リールの図柄列に対応して区分けした特別表示領域毎に状態切換を可能とし、前記切換制御手段は、図柄の停止過程で特別な遊技価値を付与可能なリーチ表示状態となった場合に、未だ変動表示する図柄列の特別表示領域を開示状態に切換える。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
【発明の効果】
第１の発明では、変動表示する図柄の出現側に位置する特別表示領域の隠蔽状態を開示状態に切換えて変動表示領域を拡張するので、遊技者は、図柄の出現側が視認しやすくすくなり、目押しを行いやすくなる。
【手続補正１８】
【補正対象書類名】明細書
【補正対象項目名】００２０
【補正方法】変更
【補正の内容】
【００２０】
第２の発明では、隠蔽開示手段は、各リールの図柄列に対応して区分けした特別表示領域毎に状態切換を可能とし、切換制御手段は、図柄の停止過程で特別な遊技価値を付与可能なリーチ表示状態となった場合に、未だ変動表示する図柄列の特別表示領域を開示状態に切換えるので、大当たりを狙っての期待感を高めることができる。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】０１０４
【補正方法】変更
【補正の内容】
【０１０４】
図１５〜図１７は本発明の第３の実施の形態を示す。これは、上段、下段の横ベットラインの変動表示領域を隠蔽状態と開示状態とに切換可能な液晶シャッタ６０、６１（隠蔽開示手段）を設け、メダルのベット数に応じて、これらの変動表示領域を隠蔽状態から開示状態に切り換えるようにしたものである。
【手続補正２８】
【補正対象書類名】明細書
【補正対象項目名】０１０５
【補正方法】変更
【補正の内容】
【０１０５】
図１６のように、ベット数が１枚のときは、中段の横ベットラインの変動表示領域のみを開示状態にして、上段、下段の横ベットラインの変動表示領域は隠蔽状態にする。
【手続補正２９】
【補正対象書類名】明細書
【補正対象項目名】０１０６
【補正方法】変更
【補正の内容】
【０１０６】
図１７のように、ベット数が２枚のときは、中段および上段の横ベットラインの変動表示領域を開示状態にして、下段の横ベットラインの変動表示領域は隠蔽状態にする。
【手続補正３０】
【補正対象書類名】明細書
【補正対象項目名】０１０７
【補正方法】変更
【補正の内容】
【０１０７】
図１５のように、ベット数が３枚のときは、上段、中段、下段の横ベットラインと斜めのベットラインの変動表示領域のすべてを開示状態にする。